(57)【要約】【課題】  格納される順番が連続している波形データそれぞれの画像データをファイルとして容易に保存することができる波形測定装置を実現することにある。【解決手段】  本発明は、トリガ信号ごとに取得した波形データを波形データ記憶部に順次格納し、波形データ記憶部の波形データに基づく画像データを表示部の表示画面に表示したり、ファイル変換部が画像データを所望の形式のファイルに変換してファイル保存部に保存する波形測定装置に改良を加えたものである。本装置は、波形データ記憶部の複数の波形データのなかから、格納される順番が連続した波形データを複数指定する指定部と、この指定部が指定した波形データごとに画像データを作成し、ファイル変換部に出力する画像データ作成部とを設け、指定部は、指定時に表示部の表示画面に表示されていない波形データを少なくとも１個指定することを特徴とするものである。【選択図】                    図１
2005090970.tif 000002
【特許請求の範囲】
【請求項１】
トリガ信号ごとに取得した波形データを波形データ記憶部に順次格納し、前記波形データ記憶部の波形データに基づく画像データを表示部の表示画面に表示したり、ファイル変換部が前記画像データを所望の形式のファイルに変換してファイル保存部に保存する波形測定装置において、
前記波形データ記憶部の複数の波形データのなかから、格納される順番が連続した波形データを複数指定する指定部と、
この指定部が指定した波形データごとに前記画像データを作成し、前記ファイル変換部に出力する画像データ作成部と
を設け、前記指定部は、指定時に前記表示部の表示画面に表示されていない波形データを少なくとも１個指定することを特徴とする波形測定装置。
【請求項２】
前記画像データ作成部は、作成した画像データを前記表示部に表示せずに前記ファイル変換部に出力することを特徴とする請求項１記載の波形測定装置。
【請求項３】
前記ファイル保存部から複数のファイルを読み出し、変換前の画像データに戻して前記画像データ作成部に出力するファイル読み出し部を設け、
前記画像データ作成部は、前記ファイル読み出し部からの各画像データを縮小し、縮小した画像データを作成するサムネイル作成手段を有し、このサムネイル作成手段が作成した縮小した画像データを複数または一つ前記表示部の表示画面に表示させることを特徴とする請求項１または２記載の波形測定装置。
【請求項４】
前記ファイル読み出し部は、読み出した複数のファイル名を前記画像データ作成部に出力し、
前記画像データ作成部は、前記ファイル読み出し部からのファイル名のリストと、前記縮小した画像データとを前記表示部に表示することを特徴とする請求項３記載の波形測定装置。
【発明の詳細な説明】
【技術分野】
【０００１】
本発明は、波形データ記憶部に格納される波形データから表示部に表示させる画像データを作成し、作成した画像データをファイル保存部に保存する波形測定装置に関するものであり、詳しくは、格納される順番が連続している波形データそれぞれの画像データをファイルとして容易に保存することができる波形測定装置に関するものである。
【背景技術】
【０００２】
波形測定装置は、例えば、デジタルオシロスコープで、被測定波形をデジタル信号の波形データに変換して、波形データ記憶部であるメモリに格納し、さらにメモリに格納した波形データに基づいて画像データを作成し、表示部の表示画面に表示したり、表示している画像データを所定の形式のファイルに変換してファイル保存部に保存するように構成されたものであり、各種分野の研究開発、品質管理、保守作業において広く使用されている。
【０００３】
また、波形測定装置は、トリガ信号を用いて所望の条件を満たす波形データのみをメモリに格納することができる。そしてメモリは、トリガ信号ごとに測定し、取得した波形データを複数格納することができ、ヒストリメモリとも呼ばれる（例えば、特許文献１、特許文献２参照）。
【０００４】
図６は、従来の波形測定装置の例を示した構成図である。図６において、測定部１０は、入力回路１１、ＡＤ変換回路１２、トリガ検出回路１３、メモリ制御回路１４を有し、被測定波形が入力され、この被測定波形をデジタル信号に変換して波形データとして出力すると共に、所望の波形を格納するための制御信号を出力する。一般的に入力回路１１は複数チャネルあり、入力回路１１ごとにＡＤ変換回路１２も設けられるが、１チャネル分のみ図示している。
【０００５】
入力回路１１は、被測定波形が入力され、この入力波形を所望の振幅レベルに変換し、出力する。ＡＤ変換回路１２は、入力回路１１から出力された信号をデジタル信号に変換して波形データとして出力する。トリガ検出回路１３は、入力回路１１から出力された信号によってトリガ信号を出力する。メモリ制御回路１４は、トリガ検出回路１３からのトリガ信号によって、制御信号を出力する。
【０００６】
波形データ記憶部であるヒストリメモリ２０は、メモリ制御回路１４からの指示により、ＡＤ変換回路１２からの波形データを順次格納する。指定部３０は、タッチパネル、ボタン、ロータリーノブ等であり、表示させる波形データやチャネルの選択、ファイルに保存する場合の形式等を出力する。
【０００７】
ＣＰＵ４０は、指定部３０からの出力に基づいてヒストリメモリ２０から波形データを読み出し、画像データの作成や画像データを所望の形式のファイルに変換する。表示部５０は、ＣＰＵ４０が作成した画像データを表示画面に表示する。ハードディスク６０は、ファイル保存部であり、ＣＰＵ４０が作成したファイルを保存する。ここで、ファイル保存部として、ハードディスク６０を挙げたが、フロッピー（登録商標）ディスク、ＭＯディスク、ＺＩＰディスク等でもよい。
【０００８】
このような装置の動作を説明する。
まず、被測定波形を測定してヒストリメモリ２０に波形データを格納するまでの動作を説明する。入力回路１１が、被測定波形を所望の振幅レベルとなるように減衰、増幅を行い、ＡＤ変換回路１２およびトリガ検出回路１３に出力する。そして、ＡＤ変換回路１２が、入力回路１１から出力された信号をデジタル信号に変化し、波形データとしてヒストリメモリ２０に出力する。
【０００９】
一方、トリガ検出回路１３は、入力回路１１からの信号レベルが所望のトリガ条件となるのを検出すると、トリガ信号を出力する。所望のトリガ条件とは、例えば、信号レベルが負から正になる場合や、複数チャネルからの信号が特定の信号レベルを超える場合等である。
【００１０】
そして、メモリ制御回路１４が、トリガ検出回路１３からのトリガ信号を基準として、ヒストリメモリ２０にＡＤ変換回路１２からの波形データを、トリガ信号ごとに格納させる。この時、基準となるトリガ信号前後の所望時間分の波形データをヒストリメモリ２０に格納できるように、ＡＤ変換回路１２が波形データを出力する。また、メモリ制御回路１４が、ヒストリメモリ２０に複数格納した波形データを識別するためのインデックス、例えば格納した順番を表す番号（図６中、最も新しい波形データを０番とし、古くなるほど小さな番号にしている）を、波形データごとに付加する。
【００１１】
続いて、ヒストリメモリ２０に格納される波形データの表示部５０への表示、表示される画像データのファイルをハードディスク６０に保存する動作を説明する。
まず、指定部３０のタッチパネル、ボタン、ロータリーノブ等を介して、ヒストリメモリ２０から読み出す波形データが１個指定される。
【００１２】
そして、ＣＰＵ４０が、指定された波形データをヒストリメモリ２０から読み出し、画像データに変換して、表示部５０の表示画面に表示させる。図７は、表示部５０に設けられた表示画面の表示例である。図７において、波形表示領域１００は、指定部３０で指定された波形データの波形を表示する領域である。波形表示領域１００の外側の表示画面には、波形データの測定条件（測定レンジ、測定チャネル、トリガ条件等）や、装置本体の情報が表示される。装置本体の情報は、例えば、現在の時刻、表示している波形データの番号（図７において、０番の波形データ）、ヒストリメモリ２０に格納されている波形データの番号（図７において、０番から−１２６番）等である。
【００１３】
そして、指定部３０より保存用のボタン（図示せず）を押す。これにより現在表示されている波形データ（図７において、０番の波形データ）に基づく画像データを、所定の形式のファイル（例えば、ビップマップ形式、ＪＰＥＧ形式等）に変換し、変換したファイルをハードディスク６０に保存する。
【００１４】
なお、異なる波形データの画像データを保存する場合は、上述の動作を繰り返す。すなわち、指定部３０で波形データを指定して、指定した波形データに基づく画像データを表示部５０に表示し、表示中の画像データをファイルに変換して、ハードディスク６０に保存するという動作を行う。ここで、図８は、画像データを示した図である。画像データｇ（０００）は０番の波形データの画像データであり、画像データｇ（００１）は−１番の波形データの画像データである。そして、波形データ０番の画像データは、例えば、ビットマップ形式ならば、ファイル名「ｘｘｘｘ０．ｂｍｐ」で保存され、波形データ−１番の画像データは、ファイル名「ｘｘｘｘ１．ｂｍｐ」で保存される。
【００１５】
【特許文献１】特開２０００−２９２４４９号公報（段落番号０００２−０００４、第４図）。
【特許文献２】特開２００３−１８５６８１号公報（段落番号０００２−０００５、第５図）。
【発明の開示】
【発明が解決しようとする課題】
【００１６】
このように、表示画面に表示される画像データそのものをファイルとして保存するので、報告書の作成や波形データの形状観測等を容易に行うことができる。つまり、画像データでなく波形データを保存したファイル（一般的に、テキストデータ）の場合、ハードディスク６０に保存したテキストデータをパソコンに持っていき、専用のソフトでテキストデータから画像データを作成し、作成した画像データを再度保存する必要がある。
【００１７】
ところで、異常現象の補足のみを行う場合は、ヒストリメモリ２０に格納される波形データのうち異常現象の発生した波形データに基づく画像データのみを保存していたが、近年は、被測定信号の変化状態をトレンドとして測定する場合が増えている。例えば、異常現象の発生した要因を突き止めるために、異常現象の発生する前後の一連のトレンド、異常現象と異常現象の間のトレンドを測定する場合がある。また、波形測定装置の小型化に伴って、波形測定装置を様々な測定現場に持っていって測定が行われるため、測定現場と異なる場所で評価するには、測定した波形データ全ての画像データを必要とする場合もある。さらに、テレビ信号を評価する場合、一定時間の連続したフレームの信号が必要となる。
【００１８】
しかしながら、図６に示す装置では、複数の画像データをハードディスク６０に保存するには、指定部３０で波形データを１個指定して、指定した波形データに基づく画像データを表示部５０に表示し、表示中の画像データをファイルに変換して、ハードディスク６０に保存するという動作を繰り返し行う必要があり、保存する画像データ数が増えるほど、作業が頻雑になるという問題があった。
【００１９】
そこで、本発明の目的は、格納される順番が連続している波形データそれぞれの画像データをファイルとして容易に保存することができる波形測定装置を実現することにある。
【課題を解決するための手段】
【００２０】
請求項１記載の発明において、
トリガ信号ごとに取得した波形データを波形データ記憶部に順次格納し、前記波形データ記憶部の波形データに基づく画像データを表示部の表示画面に表示したり、ファイル変換部が前記画像データを所望の形式のファイルに変換してファイル保存部に保存する波形測定装置において、
前記波形データ記憶部の複数の波形データのなかから、格納される順番が連続した波形データを複数指定する指定部と、
この指定部が指定した波形データごとに前記画像データを作成し、前記ファイル変換部に出力する画像データ作成部と
を設け、前記指定部は、指定時に前記表示部の表示画面に表示されていない波形データを少なくとも１個指定することを特徴とするものである。
【００２１】
請求項２記載の発明は、請求項１記載の発明において、
前記画像データ作成部は、作成した画像データを前記表示部に表示せずに前記ファイル変換部に出力することを特徴とするものである。
【００２２】
請求項３記載の発明は、請求項１または２記載の発明において、
前記ファイル保存部から複数のファイルを読み出し、変換前の画像データに戻して前記画像データ作成部に出力するファイル読み出し部を設け、
前記画像データ作成部は、前記ファイル読み出し部からの各画像データを縮小し、縮小した画像データを作成するサムネイル作成手段を有し、このサムネイル作成手段が作成した縮小した画像データを複数または一つ前記表示部の表示画面に表示させることを特徴とするものである。
【００２３】
請求項４記載の発明は、請求項３記載の発明において、
前記ファイル読み出し部は、読み出した複数のファイル名を前記画像データ作成部に出力し、
前記画像データ作成部は、前記ファイル読み出し部からのファイル名のリストと、前記縮小した画像データとを前記表示部に表示することを特徴とするものである。
【発明の効果】
【００２４】
以上説明したことから明らかなように、本発明によれば次のような効果がある。
請求項１〜４によれば、指定部が連続した複数の波形データを一度で指定し、画像データ作成部が指定された波形データの画像データを作成して、ファイル変換部がファイル保存部にファイルとして保存するので、個々に波形データを指定して表示部に表示させてからファイル保存部に保存する必要がない。これにより、格納される順番が連続している波形データそれぞれの画像データをファイルとして容易に保存することができる。従って、短い時間で多くの画像データを保存することができる。
【００２５】
請求項２によれば、画像データ作成部が、作成した画像データを表示部に表示させることなくファイル変換部のみに出力するので、画像データ変換部が高速に画像データを作成することができる。これにより、より短い時間で多くの画像データを保存することができる。
【００２６】
請求項３によれば、サムネイル作成手段が画像データを縮小し、画像データ作成部が縮小した画像データを複数組み合わせた画像データを作成し、表示部の表示画面に組み合わせた画像データを表示させるので、波形データのトレンドを容易に確認することができる。
【００２７】
請求項４によれば、画像データ作成部が、ファイル読み出し部からのファイル名のリストと、指定されたファイル名に対応する縮小した画像データとを表示するので、効率よくファイルの内容確認を行うことができる。
【発明を実施するための最良の形態】
【００２８】
以下図面を用いて本発明の実施の形態を説明する。
［第１の実施例］
図１は本発明の第１の実施例を示した構成図である。ここで、図６と同一のものは同一符号を付し、説明を省略する。また、測定部１０に設けられる入力回路１１、ＡＤ変換回路１２、トリガ検出回路１３、メモリ制御回路１４の図示も省略する。図１において、指定部３０の代わりに指定部７０が設けられ、ヒストリメモリ２０に格納されている複数の波形データのなかから、格納される順番が連続した波形データを複数指定する。
【００２９】
また、ＣＰＵ４０の代わりにＣＰＵ８０が設けられ、指定部７０が指定した波形データを読み込む。そして、ＣＰＵ８０は、画像データ作成部８１、ファイル変換部８２を有し、読み込んだ波形データに基づく画像データを作成し、表示部５０の表示画面に表示したり、画像データを所望の形式のファイルに変換してハードディスク６０に保存する。画像データ作成部８１は、指定部７０が指定した波形データごとに画像データを作成し、表示部５０の表示画面に表示したり、ファイル変換部８２に出力する。ファイル変換部８２は、画像データ作成部８１からの画像データを所望の形式のファイルに変換してハードディスク６０に保存する
【００３０】
このような装置の動作を説明する。
まず、被測定波形を測定してヒストリメモリ２０に波形データを格納するまでの動作は、図６に示す装置と同様なので説明を省略する。続いて、ヒストリメモリ２０に格納される波形データを表示部５０に表示する動作を説明する。指定部７０のタッチパネル、ボタン、ロータリーノブ等を介して、ヒストリメモリ２０から読み出す波形データ（例えば、０番）を１個指定する。ＣＰＵ８０の画像データ作成部８１が、指定された０番の波形データをヒストリメモリ２０から読み出し、画像データに変換して表示部５０の表示画面に表示させる。
【００３１】
次に、ハードディスクへ６０への保存の動作を説明する。
指定部７０のタッチパネル、ボタン、ロータリーノブ等を介して、ヒストリメモリ２０の複数の波形データのなかから、ヒストリメモリ２０に格納される順番が連続した波形データを複数指定する。もちろん、指定時は、表示部５０には１個の波形データが表示されているだけなので、表示部５０の表示画面に表示されていない波形データを少なくとも１個は指定する。例えば、０番から−１２６番を指定する。また、保存するメディアのドライブ、ファイル名、画像の色（カラー画像、グレースケール画像、白黒画像等）、保存するファイルの形式（例えば、ビットマップ形式、ＪＰＥＧ形式等）を指定する。
【００３２】
ここで図２は、表示部５０に設けられた表示画面の表示例である。図７と同様に、波形表示領域１００に指定部７０で指定された波形データ（例えば、０番）の波形が表示される。また、波形表示領域１００の外側の表示画面には、波形データの測定条件（測定レンジ、測定チャネル、トリガ条件等）や、装置本体の情報が表示されるが、表示画面の下段には、指定部７０で保存が指定された波形データの番号、保存するメディアのドライブ、ファイル名、画像の色、保存するファイルの形式を表示するとよい。
【００３３】
そして、指定部７０のタッチパネルのボタン２００を押し、保存を開始させる。これにより、画像データ作成部８１が、０番の波形データから−１２６番の波形データまで順番にヒストリメモリ２０から読み出し、それぞれの画像データを作成する。さらに、画像データ作成部８１が、作成した画像データを表示部５０に表示することなく、ファイル変換部８２に出力する。そして、ファイル変換部８２が、それぞれの画像データを指定された形式のファイルに変換してハードディスク６０に格納する。
【００３４】
ここで、図３は、画像データを示した図である。画像データＧ（０００）は０番の波形データの画像データであり、画像データＧ（００１）は−１番の波形データの画像データであり、以下同様に画像データＧ（１２６）は−１２６番目の波形データの画像データである。そして、波形データ０番の画像データＧ（０００）は、ファイル変換部８２によって例えば、ファイル名「ｙｙｙｙ０．ｂｍｐ」で保存され、波形データ−１番の画像データＧ（００２）は、ファイル名「ｙｙｙｙ１．ｂｍｐ」で保存さ、以下同様に、画像データＧ（１２６）は、ファイル名「ｙｙｙｙ１２６．ｂｍｐ」で保存される。
【００３５】
このように、指定部７０が連続した複数の波形データを一度で指定し、画像データ作成部８１が指定された波形データの画像データを作成して、ファイル変換部８２がハードディスク６０にファイルとして保存するので、個々に波形データを指定して表示部に表示させてからハードディスク６０に保存する必要がない。これにより、格納される順番が連続している波形データそれぞれの画像データをファイルとして容易に保存することができる。従って、波形データに基づく画像データを短い時間で多く保存することができる。
【００３６】
また、画像データ作成部８１が、作成した画像データを表示部５０に表示させることなくファイル変換部８２のみに出力するので、画像データ変換部８１が高速に画像データを作成することができる。これにより、より短い時間で多くの画像データを保存することができる。
【００３７】
［第２の実施例］
図４は本発明の第２の実施例を示した構成図である。ここで、図１と同一のものは同一符号を付し、説明を省略する。図４において、ＣＰＵ８０にファイル読み出し部８３が新たに設けられ、ハードディスク６０から複数のファイルを読み出し、変換前の画像データに戻して画像データ作成部８１に出力する。
【００３８】
また、画像データ作成部８１に、サムネイル作成手段８１ａが新たに設けられ、ファイル読み出し部８３からの画像データそれぞれを縮小し、縮小した画像（いわゆる、サムネイル）を作成する。
【００３９】
このような装置の動作を説明する。
指示部７０からハードディスク６０に格納される複数のファイル（ファイル変換部８２が画像データを変換したファイル）が指定され、図２に示すボタン２０１が押される。これにより、ファイル読み出し部８３が、指定されたファイルを読み出し、元の画像データに変換し画像データ作成部８１に出力する。
【００４０】
そして、サムネイル作成手段８１ａが、画像データそれぞれを縮小し、縮小した画像データを作成する。さらに、画像データ作成部８１が、縮小した画像データを複数組み合わせて、一つの画像データを作成し、表示部５０の表示画面に表示する。ここで、図５は、表示部５０に設けられた表示画面の表示例である。図５において、図２で波形データが表示される波形表示領域１００の代わりに、サムネイル表示領域１０１が設けられ、複数の縮小された画像データが表示される。
【００４１】
なお、サムネイル作成手段８１ａが読み出した画像を縮小し、画像データ作成部８１が複数の縮小した画像データを組み合わせ、表示部５０に表示する以外の動作は図１に示す装置と同様なので説明を省略する。
【００４２】
このように、サムネイル作成手段８１ａが画像データを縮小し、画像データ作成部８１が縮小した画像データを複数組み合わせた画像データを作成し、表示部５０の表示画面に組み合わせた画像データを表示させるので、波形データのトレンドを容易に確認することができる。
【００４３】
なお、本発明はこれに限定されるものではなく、以下のようなものでもよい。
図１、図４に示す装置において、指定部７０は、指定時に表示部５０に表示されている０番の波形データを含めて指定する構成を示したが、表示されている０番の波形データを含めなくともよい。
【００４４】
また、画像データ作成部８１が、作成した画像データを表示部５０に表示することなく、ファイル変換部８２に出力する構成を示したが、画像データを作成するごとに順番に表示部５０の表示画面に画像データを表示させてもよい。
【００４５】
また指定部７０が、ヒストリメモリ２０の複数の波形データのなかから、保存を開始する番号と保存を終了する番号とで保存する波形データを指定する構成を示したが、保存を開始する番号と保存する枚数とで、保存する波形データを指定してもよい。
【００４６】
また、指定部７０は、１２７個の波形データ指定する構成を示したが、何個指定してもよい。
【００４７】
図４に示す装置において、画像データ作成部８１が、４個の縮小した画像データを組み合わせ、表示する構成を示したが、組み合わせる個数は何個でもよく、１個のみでもよい。また、指定されたファイルを一度に表示部５０に表示できない場合は、数秒おき、または図示しないボタンが押されるたびに、縮小した画像データの組み合わせを換えて順番に表示するとよい。
【００４８】
また、ファイル読み出し部８３がファイルを読み出して画像データに戻し、画像データ作成部８１に出力する構成を示したが、ファイル読み出し部８３は、読み出した複数のファイルのファイル名も画像データ作成部８１に出力してもよい。そして、画像データ作成部８１は、ファイル読み出し部８３からのファイル名のリストと、サムネイル作成手段８１ａの縮小した画像データとを組み合わせ、表示部５０に表示してもよい。例えば、リストのなから指定部７０で指定されたファイル名に対応する縮小した画像データを表示するとよい（例えば、特開２００３−０４３０７１号公報（段落番号００１３−００１８、第１図）。このように、画像データ作成部８１が、ファイル読み出し部８３からのファイル名のリストと、指定されたファイル名に対応する縮小した画像データとを表示するので、効率よくファイルの内容確認を行うことができる。
【図面の簡単な説明】
【００４９】
【図１】本発明の第１の実施例を示した構成図である。
【図２】図１に示す装置における表示部５０の表示画面の表示例を示した図である。
【図３】図１に示す装置における画像データ例を示した図である。
【図４】本発明の第２の実施例を示した構成図である。
【図５】図４に示す装置における表示部５０の表示画面の表示例を示した図である。
【図６】従来の波形測定装置の構成図である。
【図７】図６に示す装置における表示部５０の表示画面の表示例を示した図である。
【図８】図６に示す装置における画像データ例を示した図である。
【符号の説明】
【００５０】
２０  ヒストリメモリ
５０  表示部
６０  ハードディスク
７０  指定部
８１  画像データ作成部
８１ａ  サムネイル作成手段
８２  ファイル変換部
８３  ファイル読み出し部
【図１】
2005090970.tif 000003
【図２】
2005090970.tif 000004
【図３】
2005090970.tif 000005
【図４】
2005090970.tif 000006
【図５】
2005090970.tif 000007
【図６】
2005090970.tif 000008
【図７】
2005090970.tif 000009
【図８】
2005090970.tif 000010